(57)【要約】  開示は、補助熱交換器を有する温水供給装置である。この温水供給装置は、熱交換器であって、前記熱交換器に加熱水を導入するための入口管、ならびに前記入口管に接続され順次配置された、第一、第二、および第三熱交換配管を含む熱交換器と、前記加熱水が導入される前記熱交換器の入口に設置された補助熱交換装置であって、前記入口管を前記第一熱交換配管に接続する第一補助熱交換配管、前記第二熱交換配管を前記第三熱交換配管へ接続する第二補助熱交換配管、および前記第二補助熱交換配管から前記第一補助熱交換配管へ熱エネルギーを伝達するための熱伝達フィンを含む補助熱交換装置とを備える。
2008531980.tif 000002
【特許請求の範囲】
【請求項１】
熱交換器であって、前記熱交換器に加熱水を導入するための入口管、ならびに前記入口管に接続され順次配置された、第一、第二、および第三熱交換配管を含む熱交換器と、前記加熱水が導入される前記熱交換器の入口に設置された補助熱交換装置であって、前記入口管を前記第一熱交換配管に接続する第一補助熱交換配管、前記第二熱交換配管を前記第三熱交換配管へ接続する第二補助熱交換配管、および前記第二補助熱交換配管から前記第一補助熱交換配管へ熱エネルギーを伝達するための熱伝達フィンを含む補助熱交換装置と、を備える温水供給装置。
【発明の詳細な説明】
【技術分野】
【０００１】
本発明は、補助熱交換器を有する温水供給装置に関し、より詳細には、熱源水（ｃａｌｅｆａｃｔｏｒｙ  ｗａｔｅｒ）が導入される熱交換器の入口で凝縮により配管の腐食の生成を抑止するため、導入された熱源水を予熱することができる補助熱交換器を有する温水供給装置に関する。
【背景技術】
【０００２】
一般に、温水供給用装置に備わる熱交換装置は、バーナーから生成された燃焼熱を吸収するためにあり、水が流れる熱交換配管と燃焼熱を吸収する熱伝達フィンを含み、これにより燃焼熱を使用して水を加熱して温水を作る。
【０００３】
図１は、従来のガス源のボイラの構造を示す概略図である。
【０００４】
熱交換装置４において、バーナー２０で生成された熱エネルギーは、熱交換器１０に伝達される。熱交換器１０には、熱交換器１０内で水を加熱するための第一の熱交換配管１１ａが含まれている。熱源水は、循環ポンプ（図示せず）によって加熱が必要な場所に強制的に供給されて熱エネルギーを伝達する。ここで、熱交換器１０に効率的に熱エネルギーを伝達するために送風機３０がバーナー２０の下部に設置されている。一方、排気ガスが煙管４０から外部へ出される。
【０００５】
循環ポンプによって循環される熱源水は、その熱を加熱が必要な場所に伝達し、次いで比較的冷たい水に戻って熱交換器１の入口に導入される。このプロセスが繰り返されて熱源水が連続的に循環される。
【０００６】
上記の構造を有するガス源のボイラは、水加熱用の配管内の水温が上昇し、ボイラ運転中に外気と加熱水の間の温度差が生じなくなるので、加熱水が熱交換装置１に導入される入口に設置されている熱交換器の入口管５０において凝縮水が生じない。
【０００７】
上記の構造を有するボイラにおいて、ボイラの運転が停止状態でかなりの時間が経過した場合は、ボイラ中の全配管、熱交換器、ボイラから各部屋へ接続される配管、および部屋内に配置される配管は、その温度が低下した冷水で完全に満たされる。さらに、加熱用配管内の水温は、ボイラ周囲空気の温度と同じレベルに低下する。
【０００８】
加熱配管内の水温が低い状態でボイラを運転している場合は、加熱配管内の冷水とバーナーの燃焼で加熱された空気との間に温度差が生じる。
【０００９】
このような温度差が、加熱配管内の水温が非常に低い冬に生じる場合は深刻である。大気中に含まれる水分は、熱交換器の配管の周囲面に凝結して凝縮水となる。
【００１０】
高温の熱が、複数の熱交換配管が設置された熱交換機１０にバーナー２０から直接的に伝達するため、熱交換機に水が凝縮しない。しかし、大気中に含まれる水分は、配管内の冷水と外気間の温度差により、熱源水が導入される熱交換器の入口に配置された入口管５０の周囲面と、第一の熱交換配管１１ａに凝結する。このような凝縮水は、ボイラのさまざまな金属製部品の腐食を加速させる。
【００１１】
発明の開示
技術的課題
従って、本発明は、従来技術において生じる上記の問題を解決するためになされたものであり、本発明の目的は、バーナーの燃焼熱で加熱された熱交換配管内で、ボイラの運転開始時に、冷水が導入される熱交換器の入口へ温水から熱エネルギーを伝達することができる補助熱根交換器を有する温水供給装置を提供することであり、これによって、熱源水が導入される熱交換器の入口での凝縮水の生成と部品の腐食を抑止することができる。
【００１２】
技術的解決
本発明の目的を達成するため、熱交換器であって、前記熱交換器に加熱水を導入するための入口管、ならびに前記入口管に接続され順次配置された、第一、第二、および第三熱交換配管を含む熱交換器と、前記加熱水が導入される前記熱交換器の入口に設置された補助熱交換装置であって、前記入口管を前記第一熱交換配管に接続する第一補助熱交換配管、前記第二熱交換配管を前記第三熱交換配管へ接続する第二補助熱交換配管、および前記第二補助熱交換配管から前記第一補助熱交換配管へ熱エネルギーを伝達するための熱伝達フィンを含む補助熱交換装置とを備える温水供給装置が提供される。
【００１３】
有利な効果
本発明による補助熱交換器を有する温水供給装置は、熱交換器の入口に設置された入口管から導入される冷水の温度を上昇させるための補助熱交換器を備える。それによって凝縮水の生成とボイラの部品の腐食が抑止される。
【００１４】
発明を実施するためのベストモード
以降、本発明による温水供給装置の構造および動作を添付の図面を参照して詳細に記載する。
【００１５】
図２は、本発明の実施形態に従った補助熱交換器を含む温水供給装置を示す概略図である。
【００１６】
熱交換器の入口管５０が、熱交換器１の入口に設置されている。この入口には、加熱を要求する場所で熱の伝達を終えて戻ってきた熱源水が導入される。
【００１７】
バーナ２０が送風機３０の上部に設けられており、その上には熱交換部１０が配置されている。熱交換部１０には、熱交換器用入口管５０に接続された複数の熱交換配管が含まれており、これにより、熱交換配管内で熱エネルギーをバーナー２０から熱源水へ伝達する。
【００１８】
熱交換部１０は、順次配列された、第一、第二、および第三熱交換配管、１１ａ、１１ｂおよび１１ｃ、ならびに熱伝達フィン１２を含む複数の熱交換配管を有する。
【００１９】
第一熱交換配管１１ａは、熱交換器用入口管５０に接続されるべきであるが、本発明においては、補助熱交換器１００が、第一熱交換配管１１ａと熱交換器用入口管５０との間に設置されている。
【００２０】
補助熱交換器１００には、第一熱交換配管１１ａを熱交換器用入口管５０に接続する第一補助熱交換配管１１０、第二熱交換配管１１ｂを第三熱交換配管１１ｃに接続する第二補助熱交換配管１２０、および第二補助熱交換配管１２０内を第一補助熱交換配管１１０へ流れる、加熱水の熱エネルギーを伝達するための熱伝達フィン１３０が含まれている。
【００２１】
熱交換器１内のバーナー２０から発生した熱エネルギーを受けて高温であるようにすでに加熱された熱源水は、加熱を必要とする各場所に強制的に循環ポンプ（図示せず）によって供給される。次いで熱交換の完了後、加熱水は暖水となり、熱交換器１へ入口管５０から導入される。このような工程が繰り返されることで、加熱水は連続的に循環される。
【００２２】
このような工程がなされた後ボイラの運転が停止されると、各配管内に完全に冷水で満たされる。この状態で、ボイラの運転が再開されると、冷水が入口管５０から熱交換器１へ供給される。
【００２３】
熱交換器１の入口管５０から供給される冷水は、第一補助熱交換配管１１０、第一熱交換配管１１ａ、および第二熱交換配管１１ｂを順次に通過する一方、加熱されるため熱エネルギーをバーナー２０の燃焼熱から吸収する。
【００２４】
上記のように加熱された加熱水は、第二補助熱交換配管１２０を通過する。このとき、熱交換フィン１３０を介して第二補助熱交換配管１２０内の加熱水から第一補助熱交換配管１１０内の冷水へ、熱エネルギーが伝達される。第一補助熱交換配管１１０内の冷水は、上記のように熱エネルギーを受けて昇温し、外気と冷水との間の温度差を減少させ、これにより、凝縮水の生成を抑止する。
【００２５】
第二補助熱交換配管１２０、第三熱交換配管１１ｃ、および複数の配管を順次通過した後、加熱水は、加熱が必要な場所に強制的に供給されてそこで加熱を実行する。
【００２６】
本発明の実施形態は、上昇流タイプのガスボイラについて記載しているが、当業者にとって、上記の補助熱交換器が下向流タイプのガスボイラに適用することができること、および本発明が温水供給装置に適用可能であることが明白である。
【００２７】
産業上の利用可能性
上記のように、本発明は、温水を供給する装置およびボイラに適用することができ、給水管から導入された冷水の温度を上昇させることにより、凝縮水の生成と温水供給装置の部品の腐食を抑止する。
【図面の簡単な説明】
【００２８】
上記および他の本発明の、目的、特徴、および長所は、添付の図面と共に考慮することで次の詳細な説明からより明白になるであろう。
【図１】図１は、通常のガスボイラの熱交換器の構造を示す概略図である。
【図２】図２は、本発明の実施形態に従った補助熱交換器を含む温水供給装置を示す概略図である。
【図１】
2008531980.tif 000003
【図２】
2008531980.tif 000004
【図３】
2008531980.tif 000005
【国際調査報告】
2008531980.tif 000006
2008531980.tif 000007